(57)【要約】【課題】  バスレフポートにより悪影響を緩和することができ、音を聴いている人にとって、良い音質の音を聴くことができるスピーカ装置を提供すること。【解決手段】  本発明のスピーカ装置は、前面にスピーカ部を備える筐体と、前記筐体に設けられ、その外端側が当該筐体から突出して屈曲しているバスレフポートと、前記筐体に設けられ、前記バスレフポートをその基端側の管路の軸回りに回転できるように支持するための回転支持部材と、を備える。このような構成にすること、バスレフポートにおける共鳴周波数よりも高い音域では、バスレフポートから放出される音波がスピーカ部から放出される音波に悪影響を及ぼすが、バスレフポートの開口部を任意に変えることで悪影響を与える度合いが小さくなる方向に選択できるので、バスレフポートが有している短所を緩和し、良質な音を聴くことができる。【選択図】  図１
2005311986.tif 000002
【特許請求の範囲】
【請求項１】
前面にスピーカ部を備える筐体と、
前記筐体に設けられ、その外端側が当該筐体から突出して屈曲しているバスレフポートと、
前記筐体に設けられ、前記バスレフポートをその基端側の管路の軸回りに回転できるように支持するための回転支持部材と、を備えたことを特徴とするスピーカ装置。
【請求項２】
前記バスレフポートの外端側の少なくとも一部は、外端の開口部の向きを変えることができるようにフレキシブルチューブにより構成されたことを特徴とする請求項１記載のスピーカ装置。
【請求項３】
前面にスピーカ部を備える筐体と、
前記筐体に設けられ、その外端側が当該筐体から突出するバスレフポートと、を備え、
前記バスレフポートの外端側の少なくとも一部は、外端の開口部の向きを変えることができるようにフレキシブルチューブにより構成されたことを特徴とするスピーカ装置。
【発明の詳細な説明】
【技術分野】
【０００１】
本発明は、バスレフポートを備えたスピーカ装置に関する。
【背景技術】
【０００２】
従来のスピーカ装置は、図６に示すように筐体であるキャビネット１０の前面に、高音域の周波数を出力する高周波域再生用のスピーカ部であるトゥイータ１１と、低音域の周波数を出力する低周波域再生用のスピーカ部であるウーファ１２と、キャビネット１０内の空間と外方の空間とを連通し、低音域の音波を位相反転させるためのバスレフポート１３と、を設けて構成されている。
【０００３】
このバスレフポート１３は、ウーファ１２の背面からの音をキャビネット１０内の容積とキャビネット１０内部に設けられた当該バスレプポート１３とで共振させて、ウーファ１２の前面から放射される音と位相を揃えて放射させ、低音域を補強するためのものである。
【０００４】
前記バスレフポート１３から出力される音波を図７を用いて模式的に説明すると、前記ウーファ１２の背面側から放出した音波の谷（ウーファ１２と向かい合っている人から見ると谷である。）がキャビネット１０の後面に当たって谷から山に変換（位相反転）され、この山が前記バスレフポート１３の一端側に入り、バスレフポート１３の中を通って、バスレフポート１３の他端側から放出される。このようにウーファ１２から放出される音波の山とバスレフポート１３から放出される音波の山とが相互干渉することで、キャビネット１０の前面に向かい合って音を聴いている人には、より重圧で低い音を聴くことができる。
【０００５】
このように前記ウーファ１２から出力される音波と前記バスレフポート１３から出力される音波とについて周波数特性を模式的に示すと図８のようになる。一般的には、ウーファ１２から出力される音波の周波数帯域は５０〜２０００Ｈｚであり、バスレフポート１３から出力される音波の周波数帯域は２０〜７０Ｈｚであるが、図８に示すように、バスレフポート１３の共鳴周波数（詳しくはキャビネット１０内の容積とバスレフポート１３とを含む系の共鳴周波数）ｆ１は、ウーファ１２の音圧が立ち上がる周波数帯域に存在し、バスレフポート１３の音圧は周波数ｆ１よりも高い周波数帯域になると周波数が高くなるにつれて下がっていく。
【０００６】
しかしながら、上述のスピーカ装置には次のような問題がある。即ち、バスレフポート１３がウーファ１２の音圧を補完する周波数帯域においては、ウーファ１２の背面から放出される音波はキャビネット１０内の容積とバスレフポート１３とで共振し、ウーファ１２から放出される音波と位相を揃えてバスレフポート１３から音波が放出されるが、周波数が共鳴周波数から外れて高くなるにつれて、バスレフポート１３から放出される音波とウーファ１２から放出される音波とは必ずしも位相が揃わなくなってくる。このため音を聴いている人にとっては、図９に示すようにある周波数においては、両者は同位相になったり、またある周波数では逆位相になったりすることから、バスレフポート１３から出力される音波がウーファ１２から放出される音波を打ち消したり、重畳したりする結果となり、音質の良くない音に聴こえてしまう。
【０００７】
また、特許文献１には、キャビネットのサイズに合わせてキャビネットの前面以外にキャビネットの側面または上面にバスレフポートの開口部を設けた構成にあるスピーカ装置が開示されているが、これは、上述の課題を解決するものではない。
【０００８】
【特許文献１】特開２００１−１６６７３（請求項１、段落００１３、図１（ａ）、（ｂ））
【発明の開示】
【発明が解決しようとする課題】
【０００９】
本発明は係る事情に鑑みてなされたものであり、本発明の目的は、バスレフポートによる悪影響を緩和することができ、音を聴いている人にとって、良い音質の音を聴くことができるスピーカ装置を提供することにある。
【課題を解決するための手段】
【００１０】
本発明のスピーカ装置は、前面にスピーカ部を備える筐体と、
前記筐体に設けられ、その外端側が当該筐体から突出して屈曲しているバスレフポートと、
前記筐体に設けられ、前記バスレフポートをその基端側の管路の軸回りに回転できるように支持するための回転支持部材と、を備えたことを特徴とする。
【００１１】
また、上述のスピーカ装置において、前記バスレフポートの外端側の少なくとも一部は、外端の開口部の向きを変えることができるようにフレキシブルチューブにより構成してもよい。
【００１２】
本発明の他のスピーカ装置は、前面にスピーカ部を備える筐体と、
前記筐体に設けられ、その外端側が当該筐体から突出するバスレフポートと、を備え、
し、前記外端側の少なくとも一部は、外端の開口部の向きを変えることができるようにフレキシブルチューブにより構成されたバスレフポートと、
前記筐体に設けられ、前記バスレフポートをその基端側の管路の軸回りを固定する固定部材と、を備えたことを特徴とする。
【発明の効果】
【００１３】
本発明は、バスレフポートにおける共鳴周波数よりも高い音域においては、バスレフポートから放出される音波がスピーカ部から放出される音波に悪影響を及ぼし、その度合いがバスレフポートの開口部の方向と室内のレイアウト等の状態により変わってくることに着目して、バスレフポートの開口部を任意に変えることができるように構成したものであり、このためバスレフポートの開口部の方向について、悪影響を与える度合いが小さくなる方向を選択できるので、バスレフポートが有している短所を緩和し、良質な音を聴くことができる。
【発明を実施するための最良の形態】
【００１４】
本発明のスピーカ装置の実施の形態について、図１及び図２を用いて説明する。図中２はスピーカ装置であり、図に示すように筐体であるキャビネット２０の前面には、高音域の周波数を出力する高周波域再生用のスピーカ部であるトゥイータ２１と、低音域の周波数を出力する低周波域再生用のスピーカ部であるウーファ２２とが設けられ、キャビネット２０の側面には、キャビネット２０内の空間と外方の空間とを連通し、低音域の音波を位相反転させるためのバスレフポート２３と、が設けられている。前記トゥイータ１１は、例えば１ｋＨｚ以上の周波数域の出力を受け持ち、前記ウーファ１２は、それ以下の周波数域の出力を受け持つが、この周波数値に限定されるものではない。なお、１ｋＨｚ以上の周波数域のを受け持つとは、１ｋＨｚに至るまでは周波数の上昇に伴って音圧が大きくなり、１ｋＨｚを越えると音圧が安定してくるという意味である。前記バスレフポート２３は、外端側がＬ字状に屈曲した筒により構成されると共に、回転支持部材２４を介してキャビネット２０内に挿入されており、前記回転支持部材２４により内端側の筒部分の軸回りに、この例では、水平軸回りに回転するように支持されている。即ち、バスレフポート２３の外端側の開口部２５がキャビネットから突出してＬ字状に屈曲し、水平方向に回転するように構成されている。前記バスレフポート２３は、内径が例えば５０ｍｍの筒により構成され、トゥイータ２１の高さレベルよりも若干低い位置において、奥行方向の略中央の側面部位からキャビネット２０内に挿入され、その内端側がキャビネット２０の左右方向の中央部に位置している。
【００１５】
前記回転支持部材２４は、一端側にフランジ２４ａが形成された筒状体であり、この筒状体をキャビネット２０の側面の開口部の内側に設置し、一端側のフランジ２４ａを前記側面の内側に面接触させて、例えばネジ止めによりフランジ２４ａと前記側面とを固定している。そして、回転支持部材２４内に前記バスレフポート２３が緩衝材であるフェルトを介して回転自在且つ進退自在に嵌入されており、従ってバスレフポート２３の外端側の開口部２５の向きを変えることができ且つその長さを可変させることができる。
【００１６】
続いて、本発明のスピーカ装置の作用効果について述べる。「背景技術」の項でも説明したが、バスレフポートの共鳴周波数付近の周波数帯域においては、ウーファ２２から放出した音波の谷（ウーファ２２と向かい合っている人から見ると谷である。）がキャビネット２０の後面に当って谷から山に変換（位相反転）され、この山が前記バスレフポート２３の内端側に入り、バスレフポート２３の中を通って、バスレフポート２３の外端側の開口部２５から放出される。従って、バスレフポート２３から放出される音波とウーファ２２から放出される音波とは同位相になるのでバスレフポート２３の本来の機能を発揮するが、周波数が高くなって共鳴点から外れてくるとウーファ２２あるいはトゥイータ２１から放出される音波（スピーカ部から放出される音波）とバスレフポート２３から放出される音波とが悪影響を与える。これにより音を聴いている人にとっては周波数によって大きな音になったり小さな音になったりするため、音質の悪い音に聴こえる。
【００１７】
バスレフポート２３からの音波は、前進して対向物により反射され、さらにその反射波が別の対向物により反射されるなどして聴いている人の耳に入ってくるため、上述のようにバスレフポート２３の先端を屈曲させて回動可能な構成とし、その開口部２５の方向を変更できるようにすれば、室内のレイアウト等の状態によってバスレフポート２３の開口部２５の向く方向に位置する壁や家具等の対向物までの距離により、対向物にて反射した音波の広がり方が変わる。このため人の耳に入る時点において、スピーカ部から放出される音波に対する、バスレフポート２３から放出される音波の干渉の仕方や干渉の程度が変わってくるので、バスレフポート２３の開口部２５の向きに応じて図３に示すように音質が良くなったり悪くなったりするが、バスレフポート２３の開口部２５が取り得る方向の選択範囲の中では、他の方向よりは良質な音が得られるポイントが存在する。従って上述の実施の形態によれば、バスレフポート２３の開口部２５の方向を選択することにより、即ち、そのポイントにバスレフポート２３の開口部２５を向けることにより良質な音を聴くことができる。
【００１８】
本発明は、実際に図１の構成のスピーカ装置を組み立て、当該発明者及びパネラーに頼んでバスレフポート２３の開口部２５の方向を種々変えて、低音領域が多く含まれるサンプルを用いて音質を比べたところ、開口部２５の方向を選択することにより、従来のスピーカ装置よりも良質な音が得られることを確認している。
【００１９】
続いて、本発明の他のスピーカ装置について説明する。ここで同じ構成にある部分については図１と同じ符号を付してあり、また、その同じ構成にある部分については便宜上説明を割愛する。図４に示すようにキャビネット２０の側面にはバスレプポート２６が挿入されて固定部材２７により固定されている。前記キャビネット２０から突出している前記バスレフポート２６の外端側の一部は、外端の開口部２８の向きを変えることができるようにフレキシブルチューブ２９として構成されている。このような形態であっても、バスレフポート２６の外端側の一部がフレキシブルであるため、バスレフポート２６の開口部２８の方向を自由に向けることができ、上述と同様の効果を得ることができる。
【００２０】
また、このバスレフポート２６を先の実施の形態と組み合わせて用いてもよい。即ち、前記回転支持部材２４を介してバスレフポート２６の内端側をキャビネット２０内に挿入し、前記キャビネット２０から突出しているバスレフポートの外端側の一部を外端の開口部２８の向きを変えることができるようにフレキシブルチューブとして構成させた形態である。このような形態によれば開口部２８の向きについて選択範囲が広くなり、より一層の効果を得ることができる。
【００２１】
さらに、本発明のスピーカ装置は、図５に示すように当該バスレフポート２３をキャビネット２０の一方の側面と他方の側面とに夫々設ける構成であってもよいし、当該バスレフポート２３をキャビネット２０の一方の側面に複数設ける構成であってもよい。また、当該バスレフポート２３をキャビネット２０の前面に設ける構成であってもよい。このような構成にしても上述と同様な作用効果が得られる。
【図面の簡単な説明】
【００２２】
【図１】本発明の実施の形態にかかるスピーカ装置を示す概略斜視図である。
【図２】本発明の実施の形態にかかるスピーカ装置を示す概略横断面図である。
【図３】本発明のスピーカ装置において、ウーファから出力される音波とバスレフポートから出力される音波とについての周波数特性を示した図である。
【図４】本発明の実施の形態にかかる他のスピーカ装置を示す概略斜視図である。
【図５】本発明の実施の形態にかかる他のスピーカ装置を示す概略正面図である。
【図６】従来のスピーカ装置を示す概略斜視図である。
【図７】従来のスピーカ装置を示す概略縦断面図である。
【図８】従来のスピーカ装置において、ウーファから出力される音波とバスレフポートから出力される音波とについての周波数特性を示した図である。
【図９】従来のスピーカ装置において、ウーファから出力される音波とバスレフポートから出力される音波とについての周波数特性を示した図である。
【符号の説明】
【００２３】
２    スピーカ装置
２０  キャビネット
２１  トゥイータ
２２  ウーファ
２３  バスレフポート
２４  回転支持部材
２４ａ  フランジ
２５  開口部
２７  固定部材
【図１】
2005311986.tif 000003
【図２】
2005311986.tif 000004
【図３】
2005311986.tif 000005
【図４】
2005311986.tif 000006
【図５】
2005311986.tif 000007
【図６】
2005311986.tif 000008
【図７】
2005311986.tif 000009
【図８】
2005311986.tif 000010
【図９】
2005311986.tif 000011